(57)【要約】【課題】  複数のＡＡ送信ユニットを、受信端末側でのキャリア毎の到達電力が等しくなるように制御し、マルチキャリア受信機により安定した受信ができるようにする。【解決手段】  複数のＡＡ通信ユニットを持つＡＡ通信装置によるＡＡ通信方法であって、ＡＡ通信ユニットUN-A,UN-B毎に、受信端末からの送信信号を受信し、通信ユニット毎の受信端末からの送信信号の受信レベルを測定し、ＡＡ通信ユニット毎に、受信端末からの送信信号に対する受信信号から送信ウェイトベクトルを計算し、ＡＡ通信ユニット毎に、受信レベルの測定値と送信ウェイトベクトルとから到達電力を計算し、ＡＡ通信ユニット毎の到達電力を比較し、到達電力が低いユニットの到達電力に一致するように他のＡＡ通信ユニット毎にその送信ウェイトベクトルの振幅を小さく補正し、ＡＡ通信ユニット毎に補正後の送信ウェイトベクトルを用いて信号送信するものである。【選択図】      図１
2007089067.tif 000002
【特許請求の範囲】
【請求項１】
複数の通信ユニットを持つ無線通信装置による無線通信方法であって、
前記通信ユニット毎に、受信端末からの送信信号を受信し、前記通信ユニット毎の前記受信端末からの送信信号の受信レベルを測定し、
前記通信ユニット毎に、前記受信端末からの送信信号に対する受信信号から送信ウェイトベクトルを計算し、
前記通信ユニット毎に、前記受信レベルの測定値と送信ウェイトベクトルとから到達電力を計算し、
前記通信ユニット毎の到達電力を比較し、到達電力が低いユニットの到達電力に一致するように他の通信ユニット毎にその送信ウェイトベクトルの振幅を小さく補正し、
前記通信ユニット毎に補正後の送信ウェイトベクトルを用いて信号送信することを特徴とする無線通信方法。
【請求項２】
複数のアダプティブアレイ通信ユニットを持つ無線通信装置であって、
前記アダプティブアレイ通信ユニット毎に、
受信端末からの送信信号に対する受信信号の受信レベルを測定する受信レベル測定器と、
前記受信端末からの送信信号に対する受信信号から送信ウェイトベクトルを計算する送信ウェイトベクトル計算機と、
前記受信レベル測定器の受信レベル測定値と前記送信ウェイトベクトル計算機からの送信ウェイトベクトルとから自ユニットの到達電力を推定する到達電力計算機と、
前記到達電力計算機の推定した自ユニットの到達電力を、他のアダプティブアレイ通信ユニットの推定した到達電力と比較し、自ユニットの到達電力が高い時に、到達電力の低いユニットの到達電力と一致するように前記送信ウェイトベクトルの振幅を小さく補正する送信ウェイト補正器とを備えたことを特徴とする無線通信装置。
【請求項３】
複数の通信ユニットを持つ無線通信装置であって、
前記通信ユニット毎に、
受信端末からの送信信号に対する受信信号の受信レベルを測定する受信レベル測定器と、
前記受信端末からの送信信号に対する受信信号から送信ウェイトベクトルを計算する送信ウェイトベクトル計算機と、
前記受信レベル測定器の受信レベル測定値と前記送信ウェイトベクトル計算機からの送信ウェイトベクトルとから自ユニットの到達電力を推定する到達電力計算機と、
前記到達電力計算機の推定した自ユニットの到達電力を、他の通信ユニットの推定した到達電力と比較し、自ユニットの到達電力が高い時に、到達電力の低いユニットの到達電力と一致するように前記送信ウェイトベクトルの振幅を小さく補正する送信ウェイト補正器とを備えたことを特徴とする無線通信装置。
【発明の詳細な説明】
【技術分野】
【０００１】
本発明は、無線通信方法及び無線通信装置に関する。
【背景技術】
【０００２】
シングルキャリア通信システムの一例として、ＰＨＳシステム（Ｐｅｒｓｏｎａｌ  Ｈａｎｄｙｐｈｏｎｅ  Ｓｙｓｔｅｍ）の受信機は、図３に示す構成であり、アンテナ１０１、帯域幅３００ｋＨｚのフィルタを備えた無線回路１０２、これにｆ１の周波数信号を与える局部発振器１０３、無線回路１０２が検波して取出したベースバンドの受信信号をＡ／Ｄ変換するＡ／Ｄ変換器１０４、このＡ／Ｄ変換器１０４の変換した受信デジタル信号を復調して元の送信信号ｆ１を出力するデジタル復調回路１０５を備えている。
【０００３】
しかしながら、このシングルキャリア通信システムでは通信速度が遅く、その高速化が強く求められている。それに応える通信方式が、マルチキャリア通信方式である。マルチキャリア通信方式は、無線通信の分野において通信速度の高速化の一手法として用いられている。
【０００４】
ＰＨＳシステムを応用したマルチキャリア通信システムの例について説明する。ＰＨＳシステムでは、規格上、１キャリア幅が３００ｋＨｚ（シンボルレートは１９２ｋＨｚ）であり、これを維持したまま高速化を行うためには、基本的に多値化するしか方法がない。例えば、高速化手法としてキャリア幅の拡大（３Ｇシステムでは数ＭＨｚ）が有効であるが、そのためには規格を変更する必要があり、その場合には現在のＰＨＳ無線機とはまったく別のシステムになってしまう。
【０００５】
そこで、規格を維持しつつ帯域を広げ、通信を高速化するために、図４の構成のＰＨＳ受信機も考えられる。これは、同じキャリアを２つ使う受信ユニットＲ−ＵＮ１，Ｒ−ＵＮ２を搭載した構成である。しかしながら、これは、いわば図３に示したシングルキャリア受信機を１つの筐体の中に２台組み込んだような構成であり、特に無線回路１０２を２系統搭載することによって筐体サイズが増し、また消費電力も大きくなるので現実的ではない。
【０００６】
昨今の技術進歩により、デジタル信号処理はかなり複雑な処理であってもサイズ、消費電力等で無線回路（ＲＦ）に比べて負荷が小さくでき、デジタル信号処理によって分波することが可能になってきている。そこで、図５に示す構成のものが２キャリアを同時に受信するマルチキャリア受信機として現実的である。このマルチキャリア受信機は、３００ｋＨｚ帯域の隣接信号を２波通過させる６００ｋＨｚ幅のフィルタを持った無線回路１０２を搭載することで擬似的に帯域を広げ、２系統のデジタルフィルタ（ＤＦ）１０６−１，１０６−２とデジタル復調回路１０５−１，１０５−２によるデジタル信号処理にて従来の３００ｋＨｚ帯域の信号に分波し、通信の高速化を図る構成である。本願では、無線回路を広帯域化し、デジタル信号処理で分波する処理手法をマルチキャリア処理と呼ぶ。
【０００７】
ここで、マルチキャリア処理を送信機、受信機の両方で行う必要はなく、送信機は複数キャリアを送信できる機能を搭載していればよい。ＰＨＳシステムの例では、基地局は多チャンネル化の方向に向かっており、複数のキャリアを送信できる機能を本来的に搭載している場合が多い。したがって、移動端末にマルチキャリア処理機能を搭載するだけで、基地局の複数のＲＦを利用して高速化を図るマルチキャリア通信システムが実現できる。
【０００８】
しかしながら、そのようなマルチキャリア通信の場合、次のような解決すべき技術的課題がある。マルチキャリア通信を行う場合、信号ｆ１と信号ｆ２とのレベル差が大きいと、受信機側ではＡ／Ｄ変換器のダイナミックレンジの問題により、デジタル信号処理による分波が適切にできなくなることがある。例示すれば、受信信号ｆ１，ｆ２のレベル差が１０ｄＢあると、電力で１０倍（振幅で３．１６倍）、レベル差が２０ｄＢあると、電力で１００倍（振幅では１０倍）の差になる。２０ｄＢのレベル差で、Ａ／Ｄ変換器が１２ｂｉｔである場合、大きい方の信号は２０４８までレンジが取れるが、小さい方の信号は２０４までしか取れず、量子化誤差が大きくなり、受信性能の劣化を引き起こす原因となる。
【発明の開示】
【発明が解決しようとする課題】
【０００９】
本発明は、このような従来の技術的課題に鑑みてなされたもので、基地局側の複数のアダプティブアレイ（ＡＡ）送信回路あるいはオムニ送信回路を制御して、受信端末側でのキャリア毎の到達電力が等しくなるように制御することができ、マルチキャリア受信機により安定した受信ができるようにする無線通信技術を提供することを目的とする。
【課題を解決するための手段】
【００１０】
請求項１の発明は、複数の通信ユニットを持つ無線通信装置による無線通信方法であって、前記通信ユニット毎に、受信端末からの送信信号を受信し、前記通信ユニット毎の前記受信端末からの送信信号の受信レベルを測定し、前記通信ユニット毎に、前記受信端末からの送信信号に対する受信信号から送信ウェイトベクトルを計算し、前記通信ユニット毎に、前記受信レベルの測定値と送信ウェイトベクトルとから到達電力を計算し、前記通信ユニット毎の到達電力を比較し、到達電力が低いユニットの到達電力に一致するように他の通信ユニット毎にその送信ウェイトベクトルの振幅を小さく補正し、前記通信ユニット毎に補正後の送信ウェイトベクトルを用いて信号送信することを特徴とするものである。
【００１１】
請求項２の発明は、複数のアダプティブアレイ通信ユニットを持つ無線通信装置であって、前記アダプティブアレイ通信ユニット毎に、受信端末からの送信信号に対する受信信号の受信レベルを測定する受信レベル測定器と、前記受信端末からの送信信号に対する受信信号から送信ウェイトベクトルを計算する送信ウェイトベクトル計算機と、前記受信レベル測定器の受信レベル測定値と前記送信ウェイトベクトル計算機からの送信ウェイトベクトルとから自ユニットの到達電力を推定する到達電力計算機と、前記到達電力計算機の推定した自ユニットの到達電力を、他のアダプティブアレイ通信ユニットの推定した到達電力と比較し、自ユニットの到達電力が高い時に、到達電力の低いユニットの到達電力と一致するように前記送信ウェイトベクトルの振幅を小さく補正する送信ウェイト補正器とを備えたことを特徴とするものである。
【００１２】
請求項３の発明は、複数の通信ユニットを持つ無線通信装置であって、前記通信ユニット毎に、受信端末からの送信信号に対する受信信号の受信レベルを測定する受信レベル測定器と、前記受信端末からの送信信号に対する受信信号から送信ウェイトベクトルを計算する送信ウェイトベクトル計算機と、前記受信レベル測定器の受信レベル測定値と前記送信ウェイトベクトル計算機からの送信ウェイトベクトルとから自ユニットの到達電力を推定する到達電力計算機と、前記到達電力計算機の推定した自ユニットの到達電力を、他の通信ユニットの推定した到達電力と比較し、自ユニットの到達電力が高い時に、到達電力の低いユニットの到達電力と一致するように前記送信ウェイトベクトルの振幅を小さく補正する送信ウェイト補正器とを備えたことを特徴とするものである。
【発明の効果】
【００１３】
本発明によれば、基地局側の複数の通信ユニットを制御することによって受信端末側でのキャリア毎の到達電力が等しくなるように制御し、マルチキャリア受信機により安定した受信ができるようになり、通信システムとして高速かつ信頼性の高い通信を可能にする。
【発明を実施するための最良の形態】
【００１４】
以下、本発明の実施の形態を図に基づいて詳説する。図１は、本発明の１つの実施の形態のアダプティブアレイ（ＡＡ）通信装置を示し、図２はこのＡＡ通信装置によるＡＡ送信処理を示している。
【００１５】
本ＡＡ通信装置は、ＰＨＳ基地局に設置されるもので、複数のＡＡ通信ユニットＵＮ−Ａ，ＵＮ−Ｂを制御して、それぞれの送信する信号ｓｆ−Ａ，ｓｆ−Ｂの受信端末側での到達電力が等しくなるように制御し、受信端末側でマルチキャリア処理が安定して行えるようにするものである。
【００１６】
ＲＦ−Ａ信号を送受するＡＡ通信ユニットＵＮ−Ａは、複数本、ここでは４本のアンテナ群Ａ１ａ〜Ａ１ｄ、送受信モードを切替えるスイッチ（ＳＷ）群Ａ２ａ〜Ａ２ｄ、アンテナ群Ａ１ａ〜Ａ１ｄにて受信され、デジタル信号に変換されたデジタル受信信号と、メモリに予め保存されている参照信号Ａ３を用いて受信ウェイトベクトルを計算する受信ウェイトベクトル計算機Ａ４、この受信ウェイトベクトル計算機Ａ４の算出する受信ウェイトベクトルと受信デジタル信号群とを掛算する掛算器群Ａ５ａ〜Ａ５ｄ、この掛算器群Ａ５ａ〜Ａ５ｄのかけ算結果を加算して復調受信信号ｒｆ−Ａとして出力する加算器Ａ６を備えている。尚、図１ではＲＦ部としてアンテナのみが示してあるが、アンテナ群Ａ１１ａ〜Ａ１１ｄにて受信した無線信号をベースバンド信号に変換し、さらに受信デジタル信号に変換し、逆に送信デジタル信号をベースバンドのアナログ信号に変換し、さらに搬送波に重畳してアンテナ群Ａ１１ａ〜Ａ１１ｄから送信するＲＦ部をアンテナ群にて簡略化して示している。
【００１７】
ＡＡ通信ユニットＵＮ−Ａは、さらに、受信デジタル信号と復調受信信号ｒｆ−Ａを用いて受信応答ベクトルを計算する応答ベクトル計算機Ａ７、受信ウェイトベクトル計算機Ａ４が算出した受信ウェイトベクトルと応答ベクトル計算機Ａ７が算出した受信応答ベクトルとを用いて送信ウェイトベクトルを計算する送信ウェイトベクトル計算機Ａ８、受信デジタル信号から受信レベルを測定するＲＳＳＩ測定器Ａ９、送信ウェイトベクトル計算機Ａ８の算出する送信ウェイトベクトルとＲＳＳＩ測定器Ａ９の測定した受信レベルとから到達電力を計算する到達電力計算機Ａ１０、この到達電力計算機Ａ１０の算出する到達電力計算値と他方のＡＡ通信ユニットＵＮ−Ｂの到達電力計算機Ｂ１０の算出した到達電力計算値とにより送信ウェイトを補正する送信ウェイト補正器Ａ１１、そして、この送信ウェイト補正器Ａ１１の補正した送信ウェイトを送信信号ｓｆ−Ａに掛算して、その結果の送信デジタル信号をアンテナ群Ａ１ａ〜Ａ１ｄに出力する掛算群Ａ１２ａ〜Ａ１２ｄを備えている。
【００１８】
受信ウェイトベクトル計算機Ａ４は、広く知られた演算、例えば、特開２００２−５０９８９号公報の図１の受信ウェイトベクトル計算機、また図１５のウェイトベクトル制御部に関連して開示されている方法によって連立方程式を解き、目的とする信号の係数が全体として１となるようなウェイトを計算する。また、応答ベクトル計算機Ａ７は、同公報において図１の受信応答ベクトル計算機に関連して述べられている計算方法によって受信応答ベクトルＨ１を演算する。送信ウェイトベクトル計算機Ａ８は、受信ウェイトベクトル計算機Ａ４の算出する受信ウェイトベクトル、応答ベクトル計算機Ａ７の算出する受信応答ベクトルＨ１を用いて、同公報の送信ウェイトベクトル計算機に関連して述べられている計算方法によって送信ウェイトベクトルＷ１を算出する。
【００１９】
到達電力計算機Ａ１０は、応答ベクトル計算機Ａ７の算出する受信応答ベクトルＨ１と送信ウェイトベクトル計算機Ａ８の算出する送信ウェイトベクトルＷ１とＲＳＳＩ測定器Ａ９の測定値ＲＳＳＩとを用いてＲＦ−Ａ側の到達電力を計算する。この計算式は後述する。送信ウェイト補正器Ａ１１は、ＲＦ−Ａ側の到達電力と後述するＲＦ−Ｂ側の到達電力とを用いて送信ウェイトベクトル計算機Ａ８の算出した送信ウェイトベクトルＷ１の振幅を補正し、その補正後の送信ウェイトベクトルを掛算器群Ａ１２ａ〜Ａ１２ｄに出力する。
【００２０】
他方のＲＦ−Ｂ信号を送受するＡＡ通信ユニットＵＮ−Ｂの構成は、上記ＡＡ通信ユニットＵＮ−Ａと同様である。そこで、図１では、ＡユニットとＢユニットの区別のために、ＡＡ通信ユニットＵＮ−Ｂについては、各要素に上記ＡユニットＵＮ−ＡにおけるＡをＢに代えた符号を付して示してある。
【００２１】
次に、上記構成のＡＡ通信装置による信号送信動作について、図１のブロック図と図２のフローチャートを用いて説明する。移動端末に対してマルチキャリア信号としてｓｆ−Ａ，ｓｆ−ＢそれぞれをＲＦ−Ａ，ＲＦ−Ｂの両方のアンテナ群Ａ１１ａ〜Ａ１１ｄ、Ｂ１１ａ〜Ｂ１１ｄそれぞれから送信する時の動作を説明する。
【００２２】
まず、ＡＡ通信ユニットＵＮ−Ａ側のアンテナ群Ａ１１ａ〜Ａ１１ｄにて受信した信号を受信デジタル信号に変換し、本ユニットの掛算器群Ａ５ａ〜Ａ５ｄに入力する。受信デジタル信号は受信ウェイトベクトル計算機Ａ４、応答ベクトル計算機Ａ７、ＲＳＳＩ測定器Ａ９にも同時に入力する。
【００２３】
受信ウェイトベクトル計算機Ａ４では、受信デジタル信号と参照信号Ａ３を用いて、上述した計算によって受信ウェイトベクトルを算出する。そしてこの受信ウェイトベクトルを掛算器群Ａ５ａ〜Ａ５ｄに出力し、また送信ウェイトベクトル計算機Ａ８に出力する。
【００２４】
掛算器群Ａ５ａ〜Ａ５ｄでは、受信デジタル信号と受信ウェイトベクトルとを掛算し、その掛算結果を加算器Ａ６に出力し、加算器Ａ６はこれらを加算合成し、移動端末から送られてきた送信信号の復調デジタル信号ｒｆ−Ａとして出力する（ステップＳ１Ａ）。
【００２５】
ＡＡ通信ユニットＵＮ−Ａは、送信タイミングにおいて次のようにして送信デジタル信号ｓｆ−ＡをＲＦ−Ａ信号に変換して送信する。応答ベクトル計算機Ａ６では、受信タイミングで受信した受信デジタル信号と復調デジタル信号を入力し、上述した公知の演算によって受信応答ベクトルＨ１を算出する（ステップＳ２Ａ）。そして送信ウェイトベクトル計算機Ａ８が、受信ウェイトベクトル計算機Ａ４の算出した受信ウェイトベクトルと応答ベクトル計算機Ａ７の算出した応答ベクトルＨ１を用い、上述した公知の演算によって送信ウェイトベクトルＷ１を算出する。また、ＲＳＳＩ測定器Ａ９は、受信デジタル信号の受信レベルＲＳＳＩを測定し、また、ＢユニットＵＮ−Ｂ側のＲＳＳＩ測定器Ｂ９から信号ｒｆ−Ｂの信号レベルＲＳＳＩを受信し、これらを到達電力計算機Ａ１０に出力する（ステップＳ３Ａ）。
【００２６】
到達電力計算機Ａ１０では、送信ウェイトベクトル計算機Ａ８の算出した送信ウェイトベクトルＷ１とＲＳＳＩ測定器Ａ９の測定した受信レベルＲＳＳＩを用い、下記の数１の演算式によって信号ｒｆ−Ａの到達電力を推定する（ステップＳ４Ａ）。
【００２７】
上記ステップＳ１Ａ〜Ｓ４Ａと同時に並行して、ＡＡ通信ユニットＵＮ−Ｂ側では、受信端末からの送信信号ｓｆ−Ｂに対して、復調デジタル信号ｒｆ−Ｂを取り出し（ステップＳ１Ｂ）、応答ベクトルＨ２を算出し、送信ウェイトベクトルＷ２を算出し、到達電力を推定する（ステップＳ２Ｂ〜Ｓ４Ｂ）。
【００２８】
そして、ＡユニットＵＮ−Ａ側の到達電力とＢユニットＵＮ−Ｂ側の到達電力とを比較し（ステップＳ５）、ＡユニットＵＮ−Ａ側の到達電力の方が大きければ、送信ウェイト補正器Ａ１１，Ｂ１１において下記の数２式によって送信ウェイトベクトルＷ１の振幅を補正する。また逆に、ＢユニットＵＮ−Ｂ側の到達電力の方が大きければ、送信ウェイト補正器Ａ１１，Ｂ１１において下記の数３式によって送信ウェイトベクトルＷ２の振幅を補正する。
【００２９】
ＡユニットＵＮ−Ａ、ＢユニットＵＮ−Ｂにおける到達電力の演算は次の通りである。
【数１】
2007089067.tif 000003
【００３０】
ただし、Ｈｘは受信応答ベクトルであり、ｘはユニット番号、ユニットＵＮ−Ａは１、ユニットＵＮ−Ｂは２としている。そして、Ｈｘｙは受信応答（複素数）であり、ｘはユニット番号、ユニットＵＮ−Ａは１、ユニットＵＮ−Ｂは２とし、ｙはアンテナ番号であり、４本のアンテナに対応して、ａ＝１，ｂ＝２，ｃ＝３，ｄ＝４としている。また、Ｗｘは送信ウェイトベクトルであり、ｘはユニット番号、ユニットＵＮ−Ａは１、ユニットＵＮ−Ｂは２としている。そしてＷｘｙは送信ウェイト（複素数）であり、ｘはユニット番号、ユニットＵＮ−Ａは１、ユニットＵＮ−Ｂは２とし、ｙはアンテナ番号であり、４本のアンテナに対応して、ａ＝１，ｂ＝２，ｃ＝３，ｄ＝４としている。
【００３１】
そして、ＡユニットＵＮ−Ａ側の到達電力の方がＢユニットＵＮ−Ｂ側より大きい場合には、送信ウェイトの振幅を次の数２式によってＢユニットＵＮ−Ｂ側の信号ｆ−Ｂの送信ウェイトベクトルＷ２には補正を掛けず、ユニットＵＮ−Ａ側の信号ｆ−Ａの送信ウェイトベクトルＷ１に補正を掛け、現実の到達電力が小さい方に揃うように補正する（ステップＳ６）。
【数２】
2007089067.tif 000004
【００３２】
逆に、ＢユニットＵＮ−Ｂ側の到達電力がＡユニットＵＮ−Ａ側に等しいか大きい場合には、送信ウェイトベクトルの振幅を次の数３式によってＡユニットＵＮ−Ａ側の信号ｆ−Ａの送信ウェイトベクトルＷ１には補正を掛けず、ＢユニットＵＮ−Ｂ側の信号ｆ−Ｂの送信ウェイトベクトルＷ２に補正を掛け、現実の到達電力が小さい方に揃うように補正する（ステップＳ７）。
【数３】
2007089067.tif 000005
【００３３】
そして、到達電力によって補正した送信ウェイトベクトルＷ１，Ｗ２を用いて送信信号ｓｆ−Ａ，ｓｆ−Ｂに対して送信ウェイトを掛け、さらにＲＦ信号に変換してアンテナ群Ａ１ａ〜Ａ１ｄ，Ｂ１ａ〜Ｂ１ｄから送信する。
【００３４】
これにより、本実施の形態のマルチキャリア通信装置では、アダプティブアレイ方式でマルチキャリア送信する無線基地局において、複数の送信ユニットによって１つの受信端末にマルチキャリア送信するのに、無線チャネルによって信号間の受信レベルに大きな差を発生させることがなく、したがって、マルチキャリア受信機能を持つ受信機にあって安定した信号受信を可能にする。
【００３５】
尚、上記実施の形態では、２系統のマルチキャリア通信について説明したが、これに限らず３系統以上のマルチキャリア通信に対して同様に適用できる。例えば、無線信号ＲＦ−Ａ，ＲＦ−Ｂ、ＲＦ−Ｃの３つで送信到達電力を同じにする必要がある場合については下記のようになる。
【００３６】
ステップＳ１１：ＡユニットＵＮ−Ａで信号１（ｆ１）、ＢユニットＵＮ−Ｂで信号２（ｆ２）、さらに、ＣユニットＵＮ−Ｃで信号３（ｆ３）のＡＡ受信処理を行う。
【００３７】
ステップＳ１２：ＡユニットＵＮ−Ａ、ＢユニットＵＮ−Ｂ、ＣユニットＵＮ−Ｃ毎に応答ベクトルの算出を行う。
【００３８】
ステップＳ１３：ＡユニットＵＮ−Ａ、ＢユニットＵＮ−Ｂ、ＣユニットＵＮ−Ｃ毎に送信ウェイトベクトルの算出を行う。
【００３９】
ステップＳ１４：ＡユニットＵＮ−Ａ、ＢユニットＵＮ−Ｂ、ＣユニットＵＮ−Ｃ毎に到達電力の算出を行う。この到達電力算出式は、数４式による。
【数４】
2007089067.tif 000006
【００４０】
ステップＳ１５：送信ウェイトベクトルの振幅を補正する。この補正は、数５式による。
【数５】
2007089067.tif 000007
【００４１】
つまり、無線キャリアＲＦ数が増えることにより、上のステップＳ１１〜Ｓ１３の処理をＲＦ毎に増やしていくことにより対応することができる。そして、上のステップＳ１４の処理では、ある系統を基準にして比較する。比較基準なので、どの系統でもよい。さらに、上のステップＳ１５の処理では、最小到達電力の系統に合わせる。尚、通信ユニットの構成は各系統とも同様であり、図１に示したものである。
【００４２】
また、本実施の形態はアダプティブアレイ通信方式の基地局について述べたが、マルチキャリア受信に対応した図５に示す構成の受信機に対して、信号を送信する基地局側は、オムニ（Ｏｍｎｉ）送信を行う単純な構成のものであってもよい。そしてＯｍｎｉ送信を行う無線通信装置の場合、応答ベクトル、送信ウェイトベクトルの算出は行わず、ＲＦ−Ａ、ＲＦ−Ｂの送信電力の調整は、上記の送信ウェイトベクトルＷｘ、受信応答ベクトルＨｘを固定的にＷ１＝Ｗ２＝Ｈ１＝Ｈ２＝（１，０）とし、図２のフローチャートにおけるステップＳ４以降の処理を行う。結局、αの倍率（電力比）に従って送信ウェイトの大きさを決定することになる。
【図面の簡単な説明】
【００４３】
【図１】本発明の１つの実施の形態のアダプティブアレイ通信装置のブロック図。
【図２】上記実施の形態のアダプティブアレイ通信装置によるアダプティブアレイ送信処理のフローチャート。
【図３】従来のシングルキャリア受信機のブロック図。
【図４】従来のマルチキャリア受信機のブロック図。
【図５】提案されているマルチキャリア処理ができるマルチキャリア受信機のブロック図。
【符号の説明】
【００４４】
Ａ１ａ〜Ａ１ｄ…アンテナ、Ａ２ａ〜Ａ２ｄ…スイッチ、Ａ３…参照信号、Ａ４…受信ウェイトベクトル計算機、Ａ５ａ〜Ａ５ｄ…掛算器、Ａ６…加算器、Ａ７…応答ベクトル計算機、Ａ８…送信ウェイトベクトル計算機、Ａ９…ＲＳＳＩ測定器、Ａ１０…到達電力計算機、Ａ１１…送信ウェイト計算機、Ａ１２ａ〜Ａ１２ｄ…掛算器、Ｂ１ａ〜Ｂ１ｄ…アンテナ、Ｂ２ａ〜Ｂ２ｄ…スイッチ、Ｂ３…参照信号、Ｂ４…受信ウェイトベクトル計算機、Ｂ５ａ〜Ｂ５ｄ…掛算器、Ｂ６…加算器、Ｂ７…応答ベクトル計算機、Ｂ８…送信ウェイトベクトル計算機、Ｂ９…ＲＳＳＩ測定器、Ｂ１０…到達電力計算機、Ｂ１１…送信ウェイト計算機、Ｂ１２ａ〜Ｂ１２ｄ…掛算器。
【図１】
2007089067.tif 000008
【図２】
2007089067.tif 000009
【図３】
2007089067.tif 000010
【図４】
2007089067.tif 000011
【図５】
2007089067.tif 000012